(57)【要約】【課題】トラクタの後方にリンク装置を介して昇降可能に装着されるロータリ耕耘装置等のチェン伝動ケースにおいて、急激な負荷変動による駆動チェンの脈動をチェン張り機構によって吸収すると共に、駆動チェンとチェン張り機構との衝突音の発生を緩和する。【解決手段】駆動軸２５と従動軸１５にそれぞれ軸支した駆動スプロケット２８と従動スプロケット２９を備え、且つ両スプロケット２８，２９に巻き掛けた駆動チェン３０を内挿したロータリ耕耘装置２のチェンケース１２において、前記駆動チェン３０の内周側と外周側を挟持した状態で摺接可能なチェン張り手段３１，３２を設けた。【選択図】図３
2005265076.tif 000002
【特許請求の範囲】
【請求項１】
駆動軸（２５）と従動軸（１５）にそれぞれ軸支した駆動スプロケット（２８）と従動スプロケット（２９）を備え、且つ両スプロケット（２８，２９）に巻き掛けた駆動チェン（３０）を内挿してなるロータリ耕耘装置（２）のチェンケース（１２）において、前記駆動チェン（３０）の内周側と外周側を挟持した状態で摺接可能なチェン張り手段（３１，３２）を設けたことを特徴とするロータリ耕耘装置における駆動チェンのチェン張り機構。
【請求項２】
前記従動軸（１５）を支承するボールベアリング（１６）に、駆動チェン（３０）の内周側に摺接するチェン張り手段（３１）を支持したことを特徴とする請求項１記載のロータリ耕耘装置における駆動チェンのチェン張り機構。
【発明の詳細な説明】
【技術分野】
【０００１】
本発明は、トラクタの後方にリンク装置を介して昇降可能に装着されるロータリ耕耘装置等の駆動チェンのチェン張り機構に関する。
【背景技術】
【０００２】
従来、トラクタ等の農作業車両の後方には、リンク装置を介してロータリ耕耘装置等の作業機を昇降可能に装着できるようになっている。
【０００３】
上記ロータリ耕耘装置の耕耘軸は、ロータリ耕耘装置の片側に設けた伝動ケース内の駆動スプロケットと従動スプロケットに巻き掛けられた駆動チェンによって駆動する、所謂サイドドライブ方式の伝動機構が採用されると共に、耕耘作業内容に応じて当該耕耘軸の回転方向を正転（ダウンカット）から逆転（アップカット）、或いは逆転から正転に切換えできるようになっている。そして、伝動ケース内の従動スプロケット側に基端部を保持すると共に駆動チェンの内周方向に揺動する揺動アームを設け、更にその揺動アームの先端に駆動チェンの内周側を緊張することができる押接部を形成したチェン張り機構と、或いは伝動ケースの下方に設けた開口部から、その開口部を塞ぐ下部カバーと一体に形成した略Ｕ字状のチェンタイトを嵌装し、このチェンタイトによって駆動チェンの外周を両側から挟持押接するように構成したチェン張り機構を設けたものが提案されている（例えば、特許文献１参照。）。
【特許文献１】実用新案登録第２５４９９５３号公報（第２−３頁、第１−５図）
【発明の開示】
【発明が解決しようとする課題】
【０００４】
しかし、上述した前者のチェン張り機構においては、緊張側の駆動チェンに内接する揺動アームの押接部が、緩み側の駆動チェンを外方に押し出す方向に頻繁に揺動することから、それに伴って駆動チェンと揺動アームの押接部との衝突音が発生するといった問題点を有していた。また、後者のチェン張り機構は、伝動ケースの下方に設けた開口部と、この開口部を塞ぐ下部カバーとの間に潤滑油の漏れを防ぐための十分なシールを施さなければならず、しかも駆動チェンの外周にチェンタイトを正確に挟持嵌装させることが難しいことから具現化されていない。
【課題を解決するための手段】
【０００５】
本発明は、上記課題を解決することを目的として創案したものであって、駆動軸と従動軸にそれぞれ軸支した駆動スプロケットと従動スプロケットを備え、且つ両スプロケットに巻き掛けた駆動チェンを内挿してなるロータリ耕耘装置のチェンケースにおいて、前記駆動チェンの内周側と外周側を挟持した状態で摺接可能なチェン張り手段を設けたことを第１の特徴としている。
【０００６】
そして、前記従動軸を支承するボールベアリングに、駆動チェンの内周側に摺接するチェン張り手段を支持したことを第２の特徴としている。
【発明の効果】
【０００７】
請求項１の発明によれば、伝動ケースに内挿した駆動チェンの内周側と外周側を挟持した状態で摺接可能なチェン張り手段を設けたことによって、急激な負荷変動による駆動チェンの脈動を吸収することができるので、当該駆動チェンに安定した張力を与えることが可能になり、且つ駆動チェンとチェン張り手段との衝突音の発生も緩和することができるようになる。
【０００８】
また、請求項２の発明によれば、従動軸を支承するボールベアリングに、駆動チェンの内周側に摺接するチェン張り手段を支持したことによって、ガタのない安定した姿勢状態で当該チェン張り手段を揺動させることができるようになる。
【発明を実施するための最良の形態】
【０００９】
本発明の実施の形態を図面に基づいて説明する。図１は、農作業用車両であるトラクタ１の後方に装着したロータリ耕耘装置２によって耕耘作業を行っている状態を示す側面図であり、また図２は、ロータリ耕耘装置２の平断面図であって、当該ロータリ耕耘装置２は、３点リンク機構３及びオートヒッチ４を介して昇降可能に装着されている。
【００１０】
そして、ロータリ耕耘装置２の中央部にはギヤケース５が設けてあり、このギヤケース５の上部に一対のトップマスト６，６を固設すると共に、該トップマスト６，６の前側上部をオートヒッチ３に連結してある。また、トップマスト６，６の後側上部には、通常は尾輪や畦立器等を装着するツールバー７の上下姿勢を調節するためのネジ式調節装置８を軸支している。
【００１１】
また、ギヤケース５の両側には、左右一対の筒状アーム１０，１１を配設すると共に、
筒状アーム１０の外端（左端側）にはロータリ耕耘装置２の伝動ケースであるチェンケース１２、筒状アーム１１の外端（右端側）にはサイドプレート１３を固設している。そして、複数本の耕耘爪１４を螺設した耕耘軸１５をチェンケース１２とサイドプレート１３の下部に配設したボールベアリング１６，１７，１８に軸支している。
【００１２】
また、耕耘爪１４の回転軌跡の上方を覆うロータリカバー１９は、側面視で円弧状に形成されると共に、その後寄り左右両側にサイドカバー２０，２０を設けている。そして、ロータリカバー１９の後部に支点Ｐを回動中心としてリヤカバー２１を上下回動可能に軸支すると共に、左右一対の吊りロッド２２，２２を介してリヤカバー２１を持ち上げ可能に構成することによって、リヤカバー２１と耕耘爪１４の回転軌跡との空間を所望の隙間に調節できるようにしてある。
【００１３】
また、トラクタ１の後部ＰＴＯ軸２３と接続する入力軸２４から伝動される駆動力は、ギヤケース５内のベベルギヤ２５，２６を介して筒状アーム１０に内装した駆動軸２７に伝動される。そして、チェンケース１２の上部で駆動軸２７に軸着した駆動スプロケット２８と、チェンケース１２の下部で耕耘軸（従動軸）１５に軸着した従動スプロケット２９に巻き掛けた駆動チェン３０を介して、当該耕耘軸１５を回転駆動させるように構成したサイドドライブ方式の伝動機構を採用している。
【００１４】
上述したチェンケース１２の内部には、図２及び図３に示すような内側チェン張り手段３１と外側チェン張り手段３２を設けている。詳述すると内側チェン張り手段３１は、駆動スプロケット２８と従動スプロケット２９に巻き掛けた駆動チェン３０の内周側に摺接する樹脂製のチェンタイトであって、当該チェンタイトは、図４に示す如くチェンケース１２の下部に配設したボールベアリング１６に嵌装可能な孔３１ａと、この孔３１ａと一体形成した中抜き部３１ｂとを有する中空体として形成されており、前記孔３１ａをボールベアリング１６に嵌装することによって、耕耘軸１５の正・逆転に拘らずチェンタイトをガタのない安定した姿勢状態で揺動させることができると共に、前記中抜き部３１ｂにより発現される適度な弾発力によって、チェンタイトの外周面３１ｃを駆動チェン３０の内周側に滑らかに摺接させることができるように外形形状を形成している。
【００１５】
一方、外側チェン張り手段３２は、駆動スプロケット２８と従動スプロケット２９に巻き掛けた駆動チェン３０の外周側に左右対称で摺接する樹脂製のチェンタイトであって、当該チェンタイトは支点軸３５を回動中心として揺動可能に軸支されると共に、チェン３０の外周面に向かって凸状に湾曲した摺動面３２ａを形成してある。そして、チェンケース１２の内面１２ａとチェンタイトの背面３２ｂの間に介設したゴム製のばね部材３６によって、当該チェンタイトを常時駆動チェン３０の外周面に向けて付勢している。
【００１６】
即ち、上述した両チェン張り手段３１，３２は、駆動スプロケット２８と従動スプロケット２９に巻き掛けた駆動チェン３０の内周側と外周側とを、挟持した状態で摺接できるように構成したチェンタイトであり、両チェン張り手段３１，３２によって急激な負荷変動による駆動チェン３０の脈動を吸収することができるので、当該駆動チェン３０に安定した張力を与えることが可能になり、且つ駆動チェン３０と両チェン張り手段３１，３２との衝突音の発生も緩和することができるようになる。
【００１７】
また、チェンケース１２の下部に配設されて耕耘軸１５を支承するボールベアリング１６に、駆動チェン３０の内周側に摺接するチェンタイトである内側チェン張り手段３１の孔３１ａを嵌装して支持することによって、ガタのない安定した姿勢状態で当該内側チェン張り手段３１を揺動させることができる。
【００１８】
尚、駆動チェン３０の内周側に摺接するチェンタイトの別実施例として図５〜図７に示すような内側チェン張り手段３１´を形成してもよい。この内側チェン張り手段３１´は、チェンケース１２の下部に配設したボールベアリング１６に嵌着可能な半円弧状の開口部３１ａ´と、この開口部３１ａ´と一体形成した中抜き部３１ｂ´と、該中抜き部３１ｂ´の開口部３１ａ´と反対側にピン孔３１ｄ´を設けた中空体として形成されており、前記孔３１ｄ´をチェンケース１２の中央部に突設したピン３８に嵌め込みながら、開口部３１ａ´をボールベアリング１６に嵌着できるようになっており、それによって当該内側チェン張り手段３１´をガタのない安定した姿勢状態でチェンケース１２に支持することができることから、その耐久性が向上する。
【図面の簡単な説明】
【００１９】
【図１】ロータリ耕耘装置によって耕耘作業を行っている状態を示す側面図。
【図２】ロータリ耕耘装置の平断面図。
【図３】チェンケースの第一実施例を示す要部側断面図。
【図４】内側チェン張り手段の第一実施例を示す斜視図。
【図５】内側チェン張り手段の第二実施例を示す要部平断面図。
【図６】チェンケースの第二実施例を示す要部側断面図。
【図７】内側チェン張り手段の第二実施例を示す斜視図。
【符号の説明】
【００２０】
２    ロータリ耕耘装置
１２  チェンケース
１５  従動軸
１６  ボールベアリング
２５  駆動軸
２８  駆動スプロケット
２９  従動スプロケット
３０  駆動チェン
３１  チェン張り手段（内側）
３２  チェン張り手段（外側）
【図１】
2005265076.tif 000003
【図２】
2005265076.tif 000004
【図３】
2005265076.tif 000005
【図４】
2005265076.tif 000006
【図５】
2005265076.tif 000007
【図６】
2005265076.tif 000008
【図７】
2005265076.tif 000009